(57)【要約】【課題】インクカートリッジ交換時における障害をなくし、インクカートリッジの着脱作業の操作性を顕著に向上させたインクカートリッジの保持構造を提供する。【解決手段】インクカートリッジ１の後側面を保持する後壁２ａと、インクカートリッジ１の底面を支持する底部と、インクカートリッジ１の一側面を保持する一側壁２ｂと、を備えたキャリッジ２と、キャリッジ２に水平方向に開閉自在に取り付けられてインクカートリッジ１の前面を後面側に向けて押圧保持し、かつ、インクカートリッジ１の他側面を一側面側に向けて押圧保持する前カバー５と、キャリッジ２に上下方向に開閉自在に取り付けられて、インクカートリッジ１の上面を底面に向けて押圧保持する上カバー７と、を具備している。【選択図】図１
2004181918.tif 000002
【特許請求の範囲】
【請求項１】
主走査方向に往復移動するキャリッジを具備したインクジェット方式の印刷装置に着脱自在に装着されるインクカートリッジの保持構造であって、
前記キャリッジが、前記インクカートリッジの後側面を保持する後壁と、前記インクカートリッジの底面を支持する底部と、前記インクカートリッジの一側面を保持する一側壁と、を備え、かつ、
前記キャリッジに水平方向に開閉自在に取り付けられて、前記インクカートリッジの前面を後面側に向けて押圧保持し、かつ、前記インクカートリッジの他側面を一側面側に向けて押圧保持する前カバーと、
前記キャリッジに上下方向に開閉自在に取り付けられて、前記インクカートリッジの上面を底面に向けて押圧保持する上カバーと、を具備したことを特徴とするインクカートリッジの保持構造。
【請求項２】
前記前カバーが、前記インクカートリッジの前面を後面側に向けて押圧する前面押圧手段を備えたことを特徴とする請求項１に記載のインクカートリッジの保持構造。
【請求項３】
前記前カバーが、前記インクカートリッジの他側面を一側面側に向けて押圧する側面押圧手段を備えたことを特徴とする請求項１に記載のインクカートリッジの保持構造。
【請求項４】
前記上カバーが、前記インクカートリッジの上面を底面に向けて押圧する上面押圧手段を備えたことを特徴とする請求項１に記載のインクカートリッジの保持構造。
【請求項５】
前記前カバーと上カバーとが連動するように連結され、いずれか一方の開閉動作によって他方が連動して開閉動作することを特徴とする請求項１に記載のインクカートリッジの保持構造。
【請求項６】
前記前カバーと前記上カバーとが傘歯車機構によって連動するように連結され、何れか一方の開閉動作によって他方が連動して開閉動作を行うことを特徴とする請求項５に記載のインクカートリッジの保持構造。
【請求項７】
前記前カバーと前記上カバーとがカム機構によって連動するように連結され、何れか一方の開閉動作によって他方が連動して開閉動作を行うことを特徴とする請求項５に記載のインクカートリッジの保持構造。
【請求項８】
前記上カバーは、装着されるインクカートリッジの適否検知を行う適否検知手段を設けたことを特徴とする請求項１に記載のインクカートリッジの保持構造。
【発明の詳細な説明】
【０００１】
【発明の属する技術分野】
本発明は、インクジェットプリンタ等の印刷装置に着脱自在に装着されるインクカートリッジの保持構造に関する。
【０００２】
【従来の技術】
従来、パーソナルコンピュータ、ビジネスコンピュータなどの周辺装置として、例えば、インクカートリッジをキャリッジに搭載する形式のインクジェットプリンタやパブルジェットプリンタ等の印刷装置が広く利用されている。そこで、従来のインクカートリッジの保持構造の一例を以下に説明する。
【０００３】
図１０は、従来のインクカートリッジの保持構造の一例を示す説明図である。例えば、図１０（ａ），（ｂ）に示す例では、本体フレーム等に架設された案内シャフト２２ａによって案内されて主走査方向に往復駆動されるキャリッジ２２に、インクカートリッジ２１が、前後、左右および上下の３方向に押圧されて安定に保持されている。なお、この保持構造は、２つのインクカートリッジ２１，２１を並列に保持する２ペンタイプのものである。
【０００４】
具体的には、インクカートリッジ２１は、キャリッジ２２に軸支された上カバー２４に回動可能に支持された上面押圧部材２７によって、その上面から底面へ向けて押圧され、又、キャリッジ２２に保持された前面押圧部材２６によって、前面から後面へ向けて（図示右から左に）押圧され、更に、側面押圧部材２８によって、後面から前面に向けて（図示左から右に）押圧される。なお、図１０（ｂ）にて、前面押圧部材２６と上面押圧部材２７の開放状態を二点鎖線で示す。
【０００５】
【発明が解決しようとする課題】
図１０（ａ），（ｂ）に示す例では、個々のインクカートリッジ２１に対して個別に前記押圧機構が設けられており、カートリッジ交換時には、キャリッジ２２の前面に立ち上がる壁（ロック爪２５部分）が障害となり、前面方向へのインクカートリッジ２１の出し入れが規制される。
【０００６】
一方、上下方向の出し入れでは、上カバー２４の開放時でも、カバー前面に突起物（前面押圧部材２６）があるため、インクカートリッジ２１の取出し方向が規制されることとなる。又、カバー開放時においても左側面を押圧する側面押圧部材２８が残留するため、インクカートリッジ２１の出し入れ操作に少なからず抵抗を伴うこととなる。
【０００７】
このようなことから、上述の従来のインクカートリッジの保持構造では、インクカートリッジ２１の着脱作業時における操作性がよくなかった。
【０００８】
本発明は、このような実情に鑑みてなされ、インクカートリッジ交換時における障害をなくし、インクカートリッジの着脱作業の操作性を顕著に向上させることができるとともに、構成部品の組立作業や調整作業を簡略化することができ、かつ、耐久性に優れたインクカートリッジの保持構造を提供することを目的とする。
【０００９】
【課題を解決するための手段】
本発明は、上述の課題を解決するための手段を以下のように構成している。
【００１０】
（１）主走査方向に往復移動するキャリッジを具備したインクジェット方式の印刷装置に着脱自在に装着されるインクカートリッジの保持構造であって、
前記キャリッジが、前記インクカートリッジの後側面を保持する後壁と、前記インクカートリッジの底面を支持する底部と、前記インクカートリッジの一側面を保持する一側壁と、を備え、かつ、
前記キャリッジに水平方向に開閉自在に取り付けられて、前記インクカートリッジの前面を後面側に向けて押圧保持し、かつ、前記インクカートリッジの他側面を一側面側に向けて押圧保持する前カバーと、前記キャリッジに上下方向に開閉自在に取り付けられて、前記インクカートリッジの上面を底面に向けて押圧保持する上カバーと、を具備したことを特徴とする。
【００１１】
この構成においては、前カバーを水平方向（左右方向）に回動させて開放し、かつ、上カバーを上方に開放すると、インクカートリッジの前方と上方の障害物がなくなるため、インクカートリッジの着脱作業時の操作性が顕著に向上する。
【００１２】
また、装着された状態では、インクカートリッジの前後、上下、左右が押圧保持されるため、キャリッジが移動しても安定な保持状態が維持され、キャリッジとインクカートリッジとの間の電気的導通状態も安定に保持されるため、高い印字品位が確保される。
【００１３】
（２）前記前カバーが、前記インクカートリッジの前面を後面側に向けて押圧する前面押圧手段を備えたことを特徴とする。
【００１４】
この構成においては、前カバーに前面押圧手段を設けたことにより、その前面押圧手段を、例えば、板バネ等の弾発部材による弾発力で、インクカートリッジの前面を後面側に向けて押圧するような構造とすることで、インクカートリッジに対して押圧力を確実に作用させるための設計が容易となる。
【００１５】
（３）前記前カバーが、前記インクカートリッジの他側面を一側面側に向けて押圧する側面押圧手段を備えたことを特徴とする。
【００１６】
この構成においては、前カバーに側面押圧手段を設けたことにより、側面押圧手段の押圧力が前カバーの開放時に作用することがなく、インクカートリッジの着脱操作に支障を来すことがない。
【００１７】
（４）前記上カバーが、前記インクカートリッジの上面を底面に向けて押圧する上面押圧手段を備えたことを特徴とする。
【００１８】
この構成においては、上カバーに上面押圧手段を設けたことにより、その上面押圧手段を、例えば、ゴム等の弾性部材や筒状の形状で一方の他端に蓋があり、その他方には弾性を持たせた爪状形状を形成した部材を設け、筒状の内部にコイルバネを持たせ、上カバーに上下可能に取り付けた構成などによる弾性力で、前記インクカートリッジの上面を底面に向けて押圧するような構造にすることで、インクカートリッジに対して押圧力を確実に作用させるための設計が容易となる。
【００１９】
（５）前記前カバーと上カバーとが連動するように連結され、いずれか一方の開閉動作によって他方が連動して開閉動作することを特徴とする請求項１に記載のインクカートリッジの保持構造。
【００２０】
この構成においては、前カバーまたは上カバーのいずれか一方のカバーを開閉動作することによって他方のカバーが連動して開閉動作するように設計することができ、これにより、インクカートリッジの着脱作業における操作性が顕著に向上する。
【００２１】
（６）前記前カバーと前記上カバーとが傘歯車機構によって連動するように連結され、何れか一方の開閉動作によって他方が連動して開閉動作を行うことを特徴とする。
【００２２】
この構成においては、前カバーと上カバーとを傘歯車機構を用いて連結することにより、いずれか一方のカバーの開閉動作が簡単な構成で他方のカバーに伝達され、一方のカバーの開閉動作に連動して他方のカバーが開閉動作を行う。
【００２３】
（７）前記前カバーと前記上カバーとがカム機構によって連動するように連結され、何れか一方の開閉動作によって他方が連動して開閉動作を行うことを特徴とする。
【００２４】
この構成においては、前カバーと上カバーとをカム機構を用いて連結することにより、いずれか一方のカバーの開閉動作がさらに簡単かつ耐久性に優れた構成で他方のカバーに伝達され、一方のカバーの開閉動作に連動して他方のカバーが開閉動作を行う。
【００２５】
（８）前記上カバーに、装着される前記インクカートリッジの適否検知を行う適否検知手段を設けたことを特徴とする。
【００２６】
この構成においては、上カバーに設けた適否検知手段により、インクカートリッジの装着時に、その適否を検知することができるため、呉装着によるトラブルの発生を未然防止することができる。
【００２７】
【発明の実施の形態】
以下に、本発明の実施形態に係るインクカートリッジの保持構造について図面を参照しつつ詳細に説明する。なお、本発明はこれによって限定されるものではない。
【００２８】
図１は、本発明の実施形態に係るインクジェットプリンタの要部の構成を示す図である。図１（ａ）は同インクジェットプリンタの要部の平面図、図１（ｂ）は同インクジェットプリンタの要部の正面図、図１（ｃ）は同インクジェットプリンタの要部の側面図である。図１（ａ）〜（ｃ）において、１は、１ペン方式の印字ヘッド部（図示せず。）を一体成形したインクカートリッジである。２は、例えば、合成樹脂で構成され、インクカートリッジ１を保持して印刷方向に往復移動するキャリッジである。３は、例えば、亜鉛メッキされた鋼板で構成され、インクジェットプリンタの構成部品を組み込むために装置本体に設けられたフレーム（メインシャーシ）である。４は、例えば、ステンレス製の鋼材で構成され、キャリッジ２を印刷方向に安定して案内するための案内シャフトである。
【００２９】
図１に示すように、着脱自在なインクカートリッジ１が装着されたキャリッジ２は、装置本体のフレーム３及びキャリッジ案内シャフト４によって図示左右方向（主走査方向）に往復移動走査可能に案内支持され、回転駆動される搬送ローラー（図示省略）によってキャリッジ２の往復移動走査方向に対して垂直方向に搬送される印字媒体（用紙）上にインクを吐出して印字を行う。
【００３０】
以下に、図２〜５を用いて上記キャリッジによるインクカートリッジの保持方法を説明する。図２は上記キャリッジの前カバー及び上カバーが開いた状態を示す平面図、図３は同前カバー及び上カバーが閉じた状態を示す平面図、図４は同前カバー及び上カバーが閉じた状態を示す右側面図、図５は同前カバー及び上カバーが閉じた状態を示す左側面図である。
【００３１】
図２〜図５において、２ａはキャリッジ２の後壁、２ｂはキャリッジ２の一側壁、２ｃはキャリッジ２の底部である。５は、支軸５ａ及び前カバー開放バネ５ｂを介してキャリッジ２に回動自在に設けられ、インクカートリッジ１を保持する前カバーである。６は、前カバー５の内部に設けられ、ゴムや板バネ等の弾性部材からなり、インクカートリッジ１の前面を押圧してインクカートリッジ１の背面をキャリッジ２の後壁２ａに圧接させて安定した状態で保持する前面押圧部材（前面押圧手段）である。
【００３２】
７は、支軸７ａ及び上カバー開放バネ７ｂを介してキャリッジ２に対して上下方向に開閉可能（回転可能）に支持され、インクカートリッジ１の上面を底面方向に押圧する上カバーである。７ｄは、カバー７に一体成形され、正規のインクカートリッジが装着されたか否かを検知する適否検知リブ（適否検知手段）である。８は、上カバー７の内部に設けられ、ゴムや板バネ等の弾性部材からなる上面押圧部材（上面押圧手段）である。
【００３３】
９は、前カバー５の内部に設けられ、ゴムや板バネ等の弾性部材からなり、インクカートリッジ１の装着完了状態において、インクカートリッジ１の左側面を押圧し、インクカートリッジ１の右側面をキャリッジ２の一側壁２ｂに圧接させて安定した状態で保持する側面押圧部材（側面押圧手段）である。１０は、前カバー５の角部に回動自在に設けられ、インクカートリッジ１の交換時において、キャリッジ２の一側壁２ｂの先端部に着脱自在に係止するロックレバーである。
【００３４】
図２〜図５に示すように、前カバー５は平面視でＬ字状に形成され（図２参照）、その基部（図示しない連結部を含む。）における支軸５ａ及び前カバー開放バネ５ｂによって、キャリッジ２に対して水平方向に開閉可能（回転可能）に保持され、その開閉端側には、キャリッジ２の一側面２ｂの先端部に係脱自在に係止させるためのロックレバー１０が回動自在に設けられている。なお、図２にて、前カバー５の閉状態を実線で示し、開状態を二点鎖線で示す。
【００３５】
この前カバー５の内部には、板バネ等の弾発部材で付勢される前面押圧部材（前面押圧手段）６が設けられており、通常のインクカートリッジセット完了状態においては、前面押圧部材６によってインクカートリッジ１の前面が後方へ押圧され、インクカートリッジ１の後面がキャリッジ２の後壁２ａに付勢当接して安定に保持されている。なお、前面押圧部材６の上部は、支軸６ａにより前カバー５に揺動自在に支持され、その下部が板バネ６ｂによって後方に向けて付勢されている。
【００３６】
一方、上カバー７は、その基部（図示しない連結部を含む。）の上カバー側支軸７ａに設けた上カバー側係合カム７ｄにて、キャリッジ２に対して上下方向に開閉可能（回転可能）に支持されている。この上カバー７の内部にはゴム等の弾性部材からなる上面押圧部材（上面押圧手段）８が設けられており、通常のインクカートリッジセット完了状態では、上面押圧部材８によってインクカートリッジ１の上面が底面方向へ押圧され、インクカートリッジ１の底面がキャリッジ２の底部２ｃに着座して安定に受載支持されている。なお、図４にて、上カバー７の閉状態を実線で示し、開状態を二点鎖線で示す。
【００３７】
また、前カバー５の内部には、板バネ等の弾発部材からなる側面押圧部材（側面押圧手段）９が設けられ、インクカートリッジセット完了状態において、インクカートリッジ１の左側面を押圧してインクカートリッジ１の右側面が、キャリッジ２の一側壁２ｂに付勢当接して安定に保持されている。
【００３８】
このように装着されたインクカートリッジ１の前後、上下、左右が、それぞれ押圧状態でキャリッジ２に安定に保持されるため、キャリッジ２の移動走査中においても、ガタツキが発生することなく、インクカートリッジ１への電気的導通が確保され、高い印字品位を安定に確保することができる。
【００３９】
一方、インクカートリッジ１の交換時には、前カバー５の開閉端側のロックレバー１０を操作して前カバー５を開放する。このとき、ロックレバー１０を開放動作させると、図示は省略するが、ネジリバネによって自動的に前カバー５が開放するとともに、その前カバー側支軸５ａと上カバー側支軸７ａとに設けた連結部が、傘歯車やカム等の機構で伝動連結されているため、前カバー５の開放動作に連動して上カバー７も開放される（図７参照）。
【００４０】
そして、板バネからなる側面押圧部材９が前カバー５の側面内部に取り付けられてインクカートリッジ１の左側面を押圧しているため、前カバー５の開放時には、その弾発力によって、前カバー５がインクカートリッジ１から離間する動作が助長されるため、操作性が向上する。
【００４１】
前カバー５を開放した状態では、インクカートリッジ１の前面側、左側面、上面側には、インクカートリッジ１の取り出し動作を拘束するもの（障害物）は全く存在しないため、インクカートリッジ１を取り出しやすくなり、インクカートリッジ１の破損も免れる。また、インクカートリッジ１を装着する場合にも、同様に、キャリッジ２の三方向に障害物が存在しないため、装着が容易となる。
【００４２】
なお、本実施形態では、前カバー５をキャリッジ２に対して図示左側に開閉自在に設けているが、本発明はこれに限定されることなく、キャリッジ２の右側に開閉自在となるように前カバー５を設けてもよく、その場合には、インクカートリッジ１の左側面を圧接させる一側壁２ｂをキャリッジ２の左側に立設すればよい。
【００４３】
図６は、本発明の一実施形態に係るキャリッジの前カバー及び上カバーが閉じた状態を示す正面図である。キャリッジ２に対するインクカートリッジ１の装着が完了した状態において、前カバー５の内部に設けられた側面押圧部材９により、インクカートリッジ１の左側面を押圧し、インクカートリッジ１の右側面をキャリッジ２の一方の側壁２ｂに圧接させて安定した状態で保持している。これによって、前カバー５の開放時にインクカートリッジ１の交換作業のために上方及び前方に十分に広いスペースを確保することができる。
【００４４】
図７は本発明の一実施形態に係るキャリッジの前カバーと上カバーとの連結機構を示す図であり、図７（ａ）は前カバー及び上カバーが開いた状態を示し、図７（ｂ）は前カバー及び上カバーが閉じた状態を示している。図７において５ｃは前カバー側係合カム、７ｃは上カバー側係合カムである。
【００４５】
本実施形態では、前カバー５と上カバー７とが図示しない個別の回転軸に一体にされ、それぞれの回転軸に前カバー側係合カム５ｃ及び上カバー側係合カム７ｃを設けている。上カバー７には、上カバー側支軸７ａを中心として上カバー側開放バネ７ｂ（図示せず。）の弾性力が開放方向に常時作用しており、前カバー５の閉鎖時にその操作力が前カバー側係合カム５ｃと上カバー側係合カム７ｃとの当接により閉鎖方向に変換されて作用する。したがって、前カバー５を開閉動作させると、前カバー側係合カム５ｃ及び上カバー側係合カム７ｃからなるカム機構によって上カバー７が連動して開閉動作を行う。
【００４６】
なお、上カバー７に、上カバー側支軸７ａを中心として上カバー側開放バネ７ｂ（図示せず。）の弾性力を閉鎖方向に常時作用させ、前カバー５の開放時にその操作力を前カバー側係合カム５ｃと上カバー側係合カム７ｃとの当接により開放方向に変換して作用させるようにしてもよい。また、上カバー７を開閉動作させた際に、前カバー側係合カム５ｃ及び上カバー側係合カム７ｃからなるカム機構によって前カバー５が連動して開閉動作を行うようにしてもよい。
【００４７】
つまり、前カバー５又は上カバー７のいずれか一方のカバーを開閉動作させることによって他方のカバーが連動して開閉動作するように構成している。この構成によってキャリッジ２に対するインクカートリッジ１の着脱作業における操作性が向上する。
【００４８】
上記のカム機構に代えて、前カバー側支軸５ａ及び上カバー側支軸７ａのそれぞれに互いに噛合する傘歯車を設けた傘歯車機構を用いることもできる。この場合には、前カバー５又は上カバー７のうち一方のカバーの開閉動作に連動する他方のカバーを開放方向又は閉鎖方向に付勢するバネを備える必要がない。但し、上記のカム機構を用いる場合に比較して、キャリッジ２の組立作業や調整作業が煩雑になり、耐久性に劣る可能性がある。
【００４９】
次に、上カバー７において正規のインクカートリッジが装着されたか否かを検知する適否検知手段の構成及び機能について、図８及び９を用いて説明する。図８及び図９は、本発明の一実施形態に係る適否検知手段によるインクカートリッジが装着された場合の適否検知を説明する図である。
【００５０】
図８（ａ），（ｂ）は、正規のインクカートリッジ１をセットした場合を示している。この場合、上カバー７の裏面側に設けてある適否検知リブ（適否検知手段）７ｄが、正規のインクカートリッジ１の上部に突設してある適否検知素子１ａの凹み部に嵌入するため、上カバー７は、図示するように、正常に閉じることができる。これにより、インクカートリッジ１のセットも正常に完了することができる。
【００５１】
図９（ａ），（ｂ）は、正規外のインクカートリッジ１をセットしようとした場合を示している。この場合、上カバー７の適否検知リブ７ｄは、インクカートリッジ１の適否検知素子１ａと合致しないため、上カバー７の適否検知リブ７ｄはインクカートリッジ１の適否検知素子１ａの凸部分に干渉して、上カバー７を正常に閉めることができない。即ち、インクカートリッジ１を正常にセットすることができない状態となる。これにより、そのインクカートリッジ１が適切でないことを検知することができる。
【００５２】
なお、本実施形態では、一対の嵌合構造でインクカートリッジ１の適否を検知するように構成したが、本発明は、これに限定されることなく、例えば、電気的接点構造やフォトセンサ等によって適否の検知をおこなうようにしてもよく、また、その適否検知素子１１は、前カバー５に設けてもよい。
【００５３】
また、前カバー５に設けられる前面押圧部材６、側面押圧部材９および上カバー７に設けられる上面押圧部材８は省略してもよい。その場合には、前カバー５の前面裏面、側面裏面、および、上カバー７の裏面に、それぞれインクカートリッジ１の壁面を押圧するための突起または突条等の突出部を形成すればよく、その突出部は、適度の弾力性を具備させることが好ましい。
【００５４】
【発明の効果】
以上の説明から明らかならように、本発明は、以下の効果を奏する。
【００５５】
（１）キャリッジが、インクカートリッジの後側面と底面と一側面を保持し、かつ、前カバーによって、インクカートリッジの前面を後面側に向けて押圧し、他側面を一側面側に向けて押圧すると共に、上カバーによってインクカートリッジの上面を底面に向けて押圧するので、インクカートリッジの前後、上下、左右が押圧保持されるため、キャリッジが移動しても安定な保持状態が維持され、高い印字品位が確保される。また、キャリッジとインクカートリッジとの間の絶縁状態も安定に保持されるため、インクカートリッジへの電気的導通を防止することもできる。
【００５６】
一方、インクカートリッジを取り出す時には、前カバーを水平方向（左右方向）に回動させて開放し、かつ、上カバーを上方に開放すると、インクカートリッジの前方と上方の障害物がなくなるため、インクカートリッジの着脱作業時の操作性が顕著に向上する。
【００５７】
（２）前カバーに前面押圧手段を設けたので、その前面押圧手段を、例えば、板バネ等の弾発部材による弾発力で、インクカートリッジの前面を後面側に向けて押圧するような構造とすることで、インクカートリッジに対して押圧力を確実に作用させるための設計が容易となる。
【００５８】
（３）前カバーに側面押圧手段を設けたので、その側面押圧手段を、例えば、板バネ等の弾発部材による弾発力で、インクカートリッジの他側面を一側面側に向けて押圧するような構造にすることで、インクカートリッジに対して押圧力を確実に作用させるための設計が容易となる。
【００５９】
（４）上カバーに上面押圧手段を設けたので、その上面押圧手段を、例えば、ゴム等の弾性部材の弾性力で、前記インクカートリッジの上面を底面に向けて押圧するような構造にすることで、インクカートリッジに対して押圧力を確実に作用させるための設計が容易となる。
【００６０】
（５）前カバーまたは上カバーのいずれか一方のカバーを開閉動作させることによって他方のカバーが連動して開閉動作するので、インクカートリッジの着脱作業における操作性が顕著に向上する。
【００６１】
（６）前カバーの支軸と上カバーの支軸とを傘歯車機構を用いて連動するように連結することで、いずれか一方のカバーを開閉動作させることにより、簡単な連動連結機構で他方のカバーが連動して開閉動作するように設計することができる。
【００６２】
（７）前カバーの支軸と上カバーの支軸とをカム機構を用いて連動するように連結することで、いずれか一方のカバーを開閉動作させることにより、簡単な連動連結機構で他方のカバーが連動して開閉動作するように設計することができる。また、カム機構は、傘歯車機構に比較して組立作業や調整作業が簡易であり、かつ、強度が高いために耐久性に優れる。
【００６３】
（８）上カバーに設けた適否検知手段により、インクカートリッジの装着時に、その適否を検知することができるため、ご装着によるトラブルの発生を未然に防止することができる。
【図面の簡単な説明】
【図１】本発明の一実施形態に係るインクジェットプリンタの要部の構成を示す図である。
【図２】本発明の一実施形態に係るキャリッジの前カバー及び上カバーが開いた状態を示す平面図である。
【図３】本発明の一実施形態に係るキャリッジの前カバー及び上カバーが閉じた状態を示す平面図である。
【図４】本発明の一実施形態に係るキャリッジの前カバー及び上カバーが閉じた状態を示す右側面図である。
【図５】本発明の一実施形態に係るキャリッジの前カバー及び上カバーが閉じた状態を示す左側面図である。
【図６】本発明の一実施形態に係るキャリッジの前カバー及び上カバーが閉じた状態を示す正面図である。
【図７】本発明の一実施形態に係るキャリッジの前カバーと上カバーとの連結構造を示す図である。
【図８】本発明の一実施形態に係る適否検知手段による適正なインクカートリッジを装着した場合の適否検知を説明する図である。
【図９】本発明の一実施形態に係る適否検知手段による非適正なインクカートリッジを装着した場合の適否検知を説明する図である。
【図１０】従来のインクカートリッジの保持構造の一例を示す説明図である。
【符号の説明】
１−インクカートリッジ
２−キャリッジ
２ａ−キャリッジの後壁
２ｂ−キャリッジの一側壁
２ｃ−キャリッジの底部
３−フレーム
４−キャリッジ案内シャフト
５−前カバー
５ａ−前カバー側支軸
５ｂ−前カバー側開放バネ
５ｃ−前カバー側係合カム
６−前面押圧部材（前面押圧手段）
６ａ−支軸
６ｂ−板バネ
７−上カバー
７ａ−上カバー側支軸
７ｂ−上カバー側開放バネ
７ｃ−上カバー側係合カム
７ｄ−適否検知リブ（適否検知手段）
８−上面押圧部材（上面押圧手段）
９−側面押圧部材（側面押圧手段）
１０−ロックレバー
【図１】
2004181918.tif 000003
【図２】
2004181918.tif 000004
【図３】
2004181918.tif 000005
【図４】
2004181918.tif 000006
【図５】
2004181918.tif 000007
【図６】
2004181918.tif 000008
【図７】
2004181918.tif 000009
【図８】
2004181918.tif 000010
【図９】
2004181918.tif 000011
【図１０】
2004181918.tif 000012